(57)【要約】【課題】毛髪のダメージ度の高い部位に対してはコンディショニング成分等が留まりコンディショニング効果を高める一方で、ダメージ度の低い健常毛に対してはコンディショニング成分等が留まり難くすることが可能な共重合体の提供である。さらに、当該共重合体の溶液の提供、当該共重合体を含む毛髪化粧料組成物の提供、当該毛髪化粧料組成物を含む毛髪洗浄剤、コンディショニング剤、アウトバストリートメント剤の提供である。【解決手段】所定モノマー（ａ）〜（ｄ）に由来する構成単位を有し、溶解度パラメータ値１０．０〜１５．７の共重合体である。また、これを用いた溶液、毛髪化粧料組成物、毛髪洗浄剤、コンディショニング剤、アウトバストリートメント剤である。【選択図】なし【特許請求の範囲】
【請求項１】
下記モノマー（ａ）〜（ｄ）に由来する構成単位を有する共重合体であって、
前記共重合体の溶解度パラメータ値が１０．０〜１５．７である、共重合体。
モノマー（ａ）：カルボキシル基を有するビニルモノマー
モノマー（ｂ）：下記式（１）で表されるビニルモノマーから選ばれる少なくとも１種
ＣＨ2＝Ｃ(Ｒ1)−ＣＯ−ＮＲ2Ｒ3  ・・・（１）
（前記式（１）中、Ｒ1は水素原子又はメチル基を表し、Ｒ2及びＲ3は、それぞれ独立して水素原子、炭素数１〜３の直鎖又は分岐のアルキル基、及び水酸基を有する炭素数１〜３の直鎖又は分岐のアルキル基から選ばれる１種の１価の基を表す。）
モノマー（ｃ）：下記式（２）で表されるビニルモノマー及び下記式（３）で表されるビニルモノマーの少なくとも一方
ＣＨ2＝Ｃ(Ｒ4)−ＣＯＯ−Ｒ5  …（２）
（前記式（２）中、Ｒ4は水素原子又はメチル基を表し、Ｒ5は、炭素数１２〜２２の直鎖又は分岐のアルキル基、置換基を有していてもよいシクロヘキシル基、及び置換基を有していてもよいフェニル基から選ばれる１価の基を表す。）
ＣＨ2＝Ｃ(Ｒ6)−Ｘ−(ＳｉＲ7Ｒ8−Ｏ)n−Ｒ9  ・・・（３）
（前記式（３）中、Ｒ6は水素原子又はメチル基を表し、Ｒ7及びＲ8は、それぞれ独立して炭素数１〜３のアルキル基又はフェニル基を表し、Ｒ9は炭素数１〜８のアルキル基を表し、Ｘは２価の連結基又は直接結合を表し、ｎは２〜３００の整数を表す。）
モノマー（ｄ）：下記式（４）で表されるビニルモノマー
ＣＨ2＝Ｃ(Ｒ10)−ＣＯ−Ｙ−(Ｚ−Ｏ)r−Ｒ11  ・・・（４）
（前記式（４）中、Ｒ10は水素原子又はメチル基を表し、Ｒ11は水素原子又は炭素数１〜５のアルキル基を表し、Ｙは酸素原子又はＮＨを表し、Ｚは置換基を有していてもよい炭素数２〜４のアルキレン基を表し、ｒは１〜２３の整数を表す。）
【請求項２】
前記モノマー（ａ）に由来する構成単位を前記共重合体の全質量に対して１〜５０質量％含む、請求項１に記載の共重合体。
【請求項３】
前記モノマー（ｂ）に由来する構成単位を前記共重合体の全質量に対して５０〜９０質量％含む、請求項１又は２に記載の共重合体。
【請求項４】
前記モノマー（ｃ）に由来する構成単位を前記共重合体の全質量に対して５〜５０質量％含む、請求項１〜３のいずれか１項に記載の共重合体。
【請求項５】
前記モノマー（ｄ）に由来する構成単位を前記共重合体の全質量に対して１〜５０質量％含む、請求項１〜４のいずれか１項に記載の共重合体。
【請求項６】
更に、非ラジカル反応性官能基を有する架橋性単量体由来の構成単位を有し、該架橋性単量体由来の構成単位の含有量が前記共重合体の全質量に対して１質量％以下である、請求項１〜５のいずれか１項に記載の共重合体。
【請求項７】
重量平均分子量が５，０００〜１，０００，０００である、請求項１〜６のいずれか１項に記載の共重合体。
【請求項８】
請求項１〜７のいずれか１項に記載の共重合体が水又は水溶性有機溶剤に溶解した、溶液。
【請求項９】
請求項１〜７のいずれか１項に記載の共重合体０．０５〜２０質量％と、
カチオン界面活性剤０．１〜２０質量％と、
高級アルコール０．１〜２０質量％と、を含む、毛髪化粧料組成物。
【請求項１０】
更に、シリコーン油を１０質量％以下含む、請求項９に記載の毛髪化粧料組成物。
【請求項１１】
請求項９又は１０に記載の毛髪化粧料組成物からなる、コンディショニング剤。
【請求項１２】
請求項１〜７のいずれか１項に記載の共重合体０．０５〜２０質量％と、
アニオン界面活性剤５〜４０質量％と、を含む、毛髪化粧料組成物。
【請求項１３】
更に、シリコーン油を１０質量％以下含む、請求項１２に記載の毛髪化粧料組成物。
【請求項１４】
請求項１２又は１３に記載の毛髪化粧料組成物からなる、毛髪洗浄剤。
【請求項１５】
請求項１〜７のいずれか１項に記載の共重合体０．０５〜２０質量％を含む、毛髪化粧料組成物。
【請求項１６】
更に、シリコーン油を１０質量％以下含む、請求項１５に記載の毛髪化粧料組成物。
【請求項１７】
請求項１５又は１６に記載の毛髪化粧料組成物からなる、アウトバストリートメント剤。
【発明の詳細な説明】
【技術分野】
【０００１】
本発明は、例えば毛髪のコンディショニング効果を高めることがきる共重合体、その溶液、当該共重合体を含む毛髪化粧料組成物、毛髪化粧料組成物を含む毛髪洗浄剤、コンディショニング剤、アウトバストリートメント剤に関する。
【背景技術】
【０００２】
近年、シャンプー、コンディショナー、アウトバストリートメント等のダメージケア商品市場の活況に表されるように、消費者の毛髪に対するダメージケア意識が高まっている。毛髪のダメージ感を低減させ、手触り感を向上させるために、毛髪をシャンプーで洗浄した後、コンディショナー（リンス、トリートメントとも呼ばれる）が使用される。また、浴室外では、洗い流さないタイプのアウトバストリートメント等が使用される。
【０００３】
このような、シャンプー、コンディショナー、アウトバストリートメント等には、コンディショニング効果を有する共重合体が用いられる。例えば特許文献１には、所定の構成単位を有する共重合体が開示されている。
【先行技術文献】
【特許文献】
【０００４】
【特許文献１】特開２０１４−１２９５０４号公報
【発明の概要】
【発明が解決しようとする課題】
【０００５】
しかしながら、前記特許文献１ではダメージ毛に対するコンディショニング効果は認められるものの、健常毛に対してもコンディショニング剤が付着し、濯いだ後にもコンディショニング剤は洗い流されず残っていた。健常毛は元来優れた指通りなど感触に優れており、それらにコンディショニング剤が過剰に吸着することは、ゴワツキやビルドアップなどの感触の悪化につながるという問題点があった。
【０００６】
本発明の課題は、毛髪のダメージ度の高い部位に対してはコンディショニング成分等が留まりコンディショニング効果を高める一方で、ダメージ度の低い健常毛に対してはコンディショニング成分等が留まり難くすることが可能な共重合体の提供である。さらに、当該共重合体の溶液の提供、当該共重合体を含む毛髪化粧料組成物の提供、当該毛髪化粧料組成物を含む毛髪洗浄剤、コンディショニング剤、アウトバストリートメント剤の提供である。
【課題を解決するための手段】
【０００７】
すなわち、本発明の要旨は、下記の［１］〜［１７］に存する。
【０００８】
［１］下記モノマー（ａ）〜（ｄ）に由来する構成単位を有する共重合体であって、
前記共重合体の溶解度パラメータ値が１０．０〜１５．７である、共重合体。
モノマー（ａ）：カルボキシル基を有するビニルモノマー
モノマー（ｂ）：下記式（１）で表されるビニルモノマーから選ばれる少なくとも１種
ＣＨ2＝Ｃ(Ｒ1)−ＣＯ−ＮＲ2Ｒ3  ・・・（１）
（前記式（１）中、Ｒ1は水素原子又はメチル基を表し、Ｒ2及びＲ3は、それぞれ独立して水素原子、炭素数１〜３の直鎖又は分岐のアルキル基、及び水酸基を有する炭素数１〜３の直鎖又は分岐のアルキル基から選ばれる１種の１価の基を表す。）
モノマー（ｃ）：下記式（２）で表されるビニルモノマー及び下記式（３）で表されるビニルモノマーの少なくとも一方
ＣＨ2＝Ｃ(Ｒ4)−ＣＯＯ−Ｒ5  …（２）
（前記式（２）中、Ｒ4は水素原子又はメチル基を表し、Ｒ5は、炭素数１２〜２２の直鎖又は分岐のアルキル基、置換基を有していてもよいシクロヘキシル基、及び置換基を有していてもよいフェニル基から選ばれる１価の基を表す。）
ＣＨ2＝Ｃ(Ｒ6)−Ｘ−(ＳｉＲ7Ｒ8−Ｏ)n−Ｒ9  ・・・（３）
（前記式（３）中、Ｒ6は水素原子又はメチル基を表し、Ｒ7及びＲ8は、それぞれ独立して炭素数１〜３のアルキル基又はフェニル基を表し、Ｒ9は炭素数１〜８のアルキル基を表し、Ｘは２価の連結基又は直接結合を表し、ｎは２〜３００の整数を表す。）
モノマー（ｄ）：下記式（４）で表されるビニルモノマー
ＣＨ2＝Ｃ(Ｒ10)−ＣＯ−Ｙ−(Ｚ−Ｏ)r−Ｒ11  ・・・（４）
（前記式（４）中、Ｒ10は水素原子又はメチル基を表し、Ｒ11は水素原子又は炭素数１〜５のアルキル基を表し、Ｙは酸素原子又はＮＨを表し、Ｚは置換基を有していてもよい炭素数２〜４のアルキレン基を表し、ｒは１〜２３の整数を表す。）
【０００９】
［２］前記モノマー（ａ）に由来する構成単位を前記共重合体の全質量に対して１〜５０質量％含む、［１］に記載の共重合体。
【００１０】
［３］前記モノマー（ｂ）に由来する構成単位を前記共重合体の全質量に対して５０〜９０質量％含む、［１］又は［２］に記載の共重合体。
【００１１】
［４］前記モノマー（ｃ）に由来する構成単位を前記共重合体の全質量に対して５〜５０質量％含む、請求項［１］〜［３］のいずれか１に記載の共重合体。
【００１２】
［５］前記モノマー（ｄ）に由来する構成単位を前記共重合体の全質量に対して１〜５０質量％含む、請求項［１］〜［４］のいずれか１に記載の共重合体。
【００１３】
［６］更に、非ラジカル反応性官能基を有する架橋性単量体由来の構成単位を有し、該架橋性単量体由来の構成単位の含有量が前記共重合体の全質量に対して１質量％以下である、請求項［１］〜［５］のいずれか１に記載の共重合体。
【００１４】
［７］重量平均分子量が５，０００〜１，０００，０００である、請求項［１］〜［６］のいずれか１に記載の共重合体。
【００１５】
［８］請求項［１］〜［７］のいずれか１に記載の共重合体が水又は水溶性有機溶剤に溶解した、溶液。
【００１６】
［９］請求項［１］〜［７］のいずれか１に記載の共重合体０．０５〜２０質量％と、
カチオン界面活性剤０．１〜２０質量％と、
高級アルコール０．１〜２０質量％と、を含む、毛髪化粧料組成物。
【００１７】
［１０］更に、シリコーン油を１０質量％以下含む、［９］に記載の毛髪化粧料組成物。
【００１８】
［１１］［９］又は［１０］に記載の毛髪化粧料組成物からなる、コンディショニング剤。
【００１９】
［１２］［１］〜［７］のいずれか１に記載の共重合体０．０５〜２０質量％と、
アニオン界面活性剤５〜４０質量％と、を含む、毛髪化粧料組成物。
【００２０】
［１３］更に、シリコーン油を１０質量％以下含む、［１２］に記載の毛髪化粧料組成物。
【００２１】
［１４］［１２］又は［１３］に記載の毛髪化粧料組成物からなる、毛髪洗浄剤。
【００２２】
［１５］［１］〜［７］のいずれか１に記載の共重合体０．０５〜２０質量％を含む、毛髪化粧料組成物。
【００２３】
［１６］更に、シリコーン油を１０質量％以下含む、［１５］に記載の毛髪化粧料組成物。
【００２４】
［１７］［１５］又は［１６］に記載の毛髪化粧料組成物からなる、アウトバストリートメント剤。
【発明の効果】
【００２５】
前記共重合体、その溶液、前記共重合体を用いた毛髪化粧料組成物、これを含むコンディショニング剤、毛髪洗浄剤、及びアウトバストリートメント剤は、ダメージ毛に対してはコンディショニング成分を多く残留させることができ、コンディショニング効果に優れる一方で、健常毛に対しては、コンディショニング成分を残留させにくい。
【発明を実施するための形態】
【００２６】
以下に、本発明の実施の形態について詳細に説明するが、以下の説明は、本発明の実施態様の代表例であり、これらの内容に本発明は限定されるものではない。なお、本明細書において「（メタ）アクリル酸」というような表現を用いる場合には、「アクリル酸」と「メタクリル酸」の両方を含む表現として用いることとする。また、本明細書において「〜」という表現を用いる場合、その前後に記載される数値あるいは物理値を含む意味で用いることとする。
【００２７】
［共重合体］
前記共重合体は、モノマー（ａ）〜（ｄ）に由来する構成単位を有する。
【００２８】
＜モノマー（ａ）に由来する構成単位＞
共重合体は、モノマー（ａ）、すなわちカルボキシル基を有するビニルモノマー由来の構成単位を有する。モノマー（ａ）としては、例えばアクリル酸、メタクリル酸、フタル酸２−メタクリオイルオキシエチル、クロトン酸、マレイン酸、フマル酸、イタコン酸、アンゲリカ酸、チグリン酸、２−（メタ）アクリロイルオキシエチルサクシネート、２−カルボキシエチル（メタ）アクリレート、２（２−カルボキシエトキシ）エチル（メタ）アクリレート、ヘキサヒドロフタル酸２−（メタ）アクリロイルオキシエチル、（メタ）アクリル酸テレフタレート等が挙げられ、これらの中でもアクリル酸、メタクリル酸が好ましい。
【００２９】
モノマー（ａ）に由来する構成単位はカルボキシル基を有しているため、例えばカチオン界面活性剤及び毛髪表面と相互作用し、特にカチオン界面活性剤とコンプレックス（すなわち、複合体）を形成することができる。こうして形成されたコンプレックスを介して、アニオンに帯電しているダメージ毛髪に付着し毛髪を均一に被覆することで、肌や毛髪になめらかさやサラサラ感、しっとり感を与える。すなわち良好なコンディショニング効果を得ることができる。
【００３０】
共重合体は、モノマー（ａ）に由来する構成単位を前記共重合体の全質量に対して１〜５０質量％含むことが好ましく、１〜２０質量％含むことがより好ましい。この範囲とすることにより、例えば共重合体をコンディショニング剤に用いる際にαゲルの崩壊を引き起こさずに良好な使用感を得ることができ、さらに製剤を安定化させることができる。
【００３１】
＜モノマー（ｂ）に由来する構成単位＞
前記共重合体は、モノマー（ｂ）、すなわち、下記式（１）で表されるビニルモノマーから選ばれる少なくとも１種のモノマー由来の構成単位を有する。モノマー（ｂ）由来の構成単位によって共重合体には親水性、疎水性、又は親水性と疎水性が付与される。そのため、共重合体の親水性によりダメージ毛への親和性が向上すると共に、疎水性により乾燥後の感触が良好になる。
【００３２】
ＣＨ2＝Ｃ(Ｒ1)−ＣＯ−ＮＲ2Ｒ3  ・・・（１）
Ｒ1は水素原子又はメチル基を表し、Ｒ2及びＲ3は、それぞれ独立して水素原子、炭素数１〜３の直鎖又は分岐のアルキル基、及び水酸基を有する炭素数１〜３の直鎖又は分岐のアルキル基から選ばれる１種の１価の基を表す。Ｒ2、Ｒ3における「炭素数１〜３の直鎖又は分岐のアルキル基」とはメチル基、エチル基、ｎ−プロピル基、ｉ−プロピル基等が挙げられ、中でもメチル基が好ましい。「水酸基を有する炭素数１〜３の直鎖又は分岐のアルキル基」とはヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−２−メチルエチル基、２−ヒドロキシ−２−メチルエチル基等が挙げられ、中でも２−ヒドロキシエチル基が好ましい。
【００３３】
式（１）で表されるモノマー（ｂ）の具体例としては、Ｎ−ヒドロキシメチル（メタ）アクリルアミド、Ｎ−（１−ヒドロキシエチル）（メタ）アクリルアミド、Ｎ−（２−ヒドロキシエチル）（メタ）アクリルアミド、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ-イソプロピル（メタ）アクリルアミド、Ｎ，Ｎ-ジイソプロピル（メタ）アクリルアミド等が挙げられ、中でもＮ−（２−ヒドロキシエチル）アクリルアミド、Ｎ，Ｎ−ジメチルアクリルアミドが好ましい。
【００３４】
モノマー（ｂ）が親水性を有する場合には、前記共重合体がダメージ毛に吸着しやすくなり、指通りの良さが良好となる。さらに、肌や毛髪、特にダメージ毛などに対する親和性が高くなり、肌や毛髪へのポリマーの吸着力を高め、更にはサラサラ感、しっとり感を与えることができる。また、モノマー（ｂ）は、アミド結合由来の水素結合可能部位を有する。この水素結合可能部位により、キューティクルが剥れて親水的な蛋白質が剥き出しとなったダメージ毛髪に対する共重合体の親和力を高める効果が得られる。
【００３５】
共重合体は、モノマー（ｂ）に由来する構成単位を前記共重合体の全質量に対して５０〜９０質量％含むことが好ましく、５０〜７０質量％含むことがより好ましい。この場合には、共重合体の親水性がより適切になり、共重合体の毛髪への残留度を高めることができる。そして、共重合体を例えばインバス用途の毛髪化粧料組成物に用いる際に、共重合体が水に過度に溶解し、洗浄時に流れ落ちてコンディショニング効果が損なわれてしまうことを抑制することができる。
【００３６】
＜モノマー（ｃ）に由来する構成単位＞
前記共重合体は、モノマー（ｃ）、すなわち、下記式（２）で表されるビニルモノマー及び下記式（３）で表されるビニルモノマーの少なくとも一方のモノマー由来の構成単位を有する。モノマー（ｃ）由来の構成単位によって共重合体には疎水性部位が付与される。この共重合体における疎水性部位が疎水的なコンディショニング剤等と強く相互作用することにより、共重合体のコンディショニング剤等への親和性が向上する。さらに、疎水性部位の効果で共重合体自体にサラサラ等の感触を付与することができ、共重合体を含有する毛髪化粧料組成物が配合された各種製品にサラサラとした使用感等を付与することができる。共重合体において、前記モノマー（ｃ）に由来する構成単位としては、１種類を単独で用いても、２種類以上を併用してもよい。
【００３７】
ＣＨ2＝Ｃ(Ｒ4)−ＣＯＯ−Ｒ5  ・・・（２）
前記式（２）中、Ｒ4は水素原子又はメチル基を表し、Ｒ5は、炭素数１２〜２２の直鎖又は分岐のアルキル基、置換基を有していてもよいシクロヘキシル基、及び置換基を有していてもよいフェニル基から選ばれる１価の基を表す。
ＣＨ2＝Ｃ(Ｒ6)−Ｘ−(ＳｉＲ7Ｒ8−Ｏ)n−Ｒ9  ・・・（３）
前記式（３）中、Ｒ6は水素原子又はメチル基を表し、Ｒ7及びＲ8は、それぞれ独立して炭素数１〜３のアルキル基又はフェニル基を表し、Ｒ9は炭素数１〜８のアルキル基を表し、Ｘは２価の連結基又は直接結合を表し、ｎは２〜３００の整数を表す。
【００３８】
式（２）におけるＲ5について、「炭素数１２〜２２の直鎖又は分岐のアルキル基」としては、例えばミリスチル基、イソステアリル基、ステアリル基、ベヘニル基、セチル基、ラウリル基、合成ラウリル基（ただし、「合成ラウリル基」とは炭素数１２のアルキル基と炭素数１３のアルキル基が混合したアルキル基を意味する）等が挙げられ、中でもイソステアリル基が好ましい。「置換基を有していてもよいシクロヘキシル基」としては、例えばシクロヘキシル、メチルシクロヘキシル基等が挙げ有られ、中でもシクロヘキシル基が好ましい。「置換基を有していてもよいフェニル基」としては、例えばフェニル、トリル、キシリル、フェノール、フルオロフェニル、トリフルオロメチルフェニル、ハロゲン化フェニル等が挙げ有られ、中でもフェニルが好ましい。
【００３９】
式（２）で表されるモノマー（ｃ）の具体例としては、ミリスチル（メタ）アクリレート、イソステアリル（メタ）アクリレート、ステアリル（メタ）アクリレート、ベヘニル（メタ）アクリレート、セチル（メタ）アクリレート、ラウリル（メタ）アクリレート、合成ラウリル（メタ）アクリレート、シクロヘキシル（メタ）アクリレート、フェニル（メタ）アクリレート等が挙げられる。これらの中でもイソステアリル（メタ）アクリレートが好ましい。
【００４０】
式（３）のＲ7及びＲ8について、「炭素数１〜３のアルキル基」としては、例えばメチル基、エチル基、ｎ−プロピル基、ｉ−プロピル基等が挙げられ、中でもメチル基が好ましい。「フェニル基」は、置換基を有していても、置換基を有していなくてもよい。「フェニル基」としては、例えばフェニル基、トリル基、キシリル基等が挙げられ、中でもフェニル基が好ましい。
【００４１】
式（３）のＲ9について、「炭素数１〜８のアルキル基」としては、例えばメチル基、エチル基、ｎ−プロピル基、ｉ−プロピル基、ｎ−ブチル基、ｉ−ブリル基、ｔ−ブチル基、ペンチル基、ヘキシル基、オクチル基等が挙げられ、中でもｎ−ブチル基が好ましい。
【００４２】
式（３）のＸは、２価の連結基又は直接結合を表すが、なかでも以下に挙げられる構造（３ａ）〜（３ｄ）のうちの１つ又は２つ以上の組合せからなる連結基が好ましい。組合せる個数は特に限定されないが、通常、５つ以下である。また、以下の構造の向き、すなわち、どちらの端がポリシロキサン基側かは任意である。なお、以下においてＲ12〜Ｒ15は、各々独立に炭素数１〜６のアルキレン基又はフェニレン基を表す。
−ＣＯＯ−Ｒ12−  ・・・（３ａ）
−ＣＯＮＨ−Ｒ13−  ・・・（３ｂ）
−Ｏ−Ｒ14−  ・・・（３ｃ）
−Ｒ15−  ・・・（３ｄ）
【００４３】
式（３）のｎは、２〜３００の整数を示す。ｎは、３〜５０であることが好ましく、５〜５０であることがより好ましい。
【００４４】
式（３）で表されるモノマー（ｃ）の具体例としては、例えばα−（ビニルフェニル）ポリジメチルシロキサン、α−（ビニルベンジルオキシプロピル）ポリジメチルシロキサン、α−（ビニルベンジル）ポリメチルフェニルシロキサン、α−（メタクリロイルオキシプロピル）ポリジメチルシロキサン、α−（メタクリロイルオキシプロピル）ポリメチルフェニルシロキサン、α−（メタクリロイルアミノプロピル）ポリジメチルシロキサン等が挙げられる。これらのポリシロキサン基含有モノマーは１種類を単独で用いても２種類以上を併用してもよい。このようなポリシロキサン基含有モノマーとしては市販品も用いることができる。例えば、α−（メタクリロイルオキシプロピル）ポリジメチルシロキサンとしては、サイラプレーン（チッソ株式会社）が入手可能であり、サイラプレーンＦＭ０７１１（分子量１０００）、サイラプレーンＦＭ０７２１（分子量５０００）、サイラプレーンＦＭ０７２２（分子量１００００）等がある。
【００４５】
共重合体は、モノマー（ｃ）に由来する構成単位を前記共重合体の全質量に対して５〜５０質量％含むことが好ましく、５〜３０質量％含むことがより好ましい。この範囲とすることにより疎水性部位を有する共重合体の水性溶媒に対する溶解性がより良好となる。
【００４６】
＜モノマー（ｄ）に由来する構成単位＞
前記共重合体は、モノマー（ｄ）、すなわち、下記式（４）で表されるビニルモノマー由来の構成単位を有する。モノマー（ｄ）由来の構成単位によって共重合体には適度な親水性が付与される。そのため、共重合体の適度な親水性により、使用時のなめらかさ等の感触を損なうことなく、ダメージ毛への親和性を高めることができ、ダメージ毛に吸着しやすくなる。このため、指通りが良好になる。共重合体において、前記モノマー（ｄ）に由来する構成単位としては、１種類を単独で用いても２種類以上を併用してもよい。
【００４７】
ＣＨ2＝Ｃ(Ｒ10)−ＣＯ−Ｙ−(Ｚ−Ｏ)r−Ｒ11  ・・・（４）
前記式（４）中、Ｒ10は水素原子又はメチル基を表し、Ｒ11は水素原子又は炭素数１〜５のアルキル基を表し、Ｙは酸素原子又はＮＨを表し、Ｚは置換基を有していてもよい炭素数２〜４のアルキレン基を表し、ｒは１〜２３の整数を表す。
【００４８】
式（４）において、Ｒ10はメチル基が好ましい。また、モノマー（ｄ）は適度な親水性のあるものが好ましいため、Ｒ11は、水素原子又は炭素数１〜３のアルキル基であることが好ましく、水素原子又は炭素数１又は２のアルキル基であることがより好ましい。Ｙは好ましくは酸素原子である。ｒは好ましくは２以上であり、一方、好ましくは１０以
下であり、より好ましくは６以下であり、更に好ましくは４以下である。
【００４９】
式（４）において、Ｚのアルキレン基が置換基を有する場合には、その置換基は、前記共重合体において他の部分と反応しないものを指す。また、その置換基が占める体積が大きすぎると、モノマー（ｄ）のＹ−(Ｚ−Ｏ)r−Ｒ11の構造部分に対して置換基の占める体積が大きくなり、その結果、モノマー（ａ）のカルボキシル基と例えばカチオン界面活性剤の相互作用が弱くなり、コンディショニング効果が低下してしまう可能性がある。したがって、アルキレン基の置換基は分子量で５０以下のものであることが好ましい。このような置換基の具体例としては、例えばヒドロキシル基、メトキシ基、エトキシ基、アルキル基、ヒドロキシアルキル基、メトキシアルキル基、エトキシアルキル基等が挙げられる。また、Ｚのアルキレン基の置換基は−(Ｚ−Ｏ)r−の構造部分よりも分子量が小さいことが好ましい。ただし、Ｚは置換基を有さないものがより好ましい。また、Ｚは炭素数２〜３のアルキレン基が好ましく、最も好ましくは炭素数２のエチレン基である。
【００５０】
式（４）で表されるモノマー（ｄ）の具体例としては、例えばメトキシポリエチレングリコール（メタ）アクリレート（ポリエチレングリコールの繰り返し数、すなわち式（４）のｒは２〜２３）、ポリエチレングリコール（メタ）アクリレート（ポリエチレングリコールの繰り返し数、すなわち式（４）のｒは２〜２３）、メトキシポリエチレングリコール／ポリプロピレングリコール（メタ）アクリレート（ポリエチレングリコール／ポリプロピレングリコールの繰り返し数、すなわち式（４）のｒは２〜２３）、ポリエチレングリコール／ポリプロピレングリコール（メタ）アクリレート（ポリエチレングリコール／ポリプロピレングリコールの繰り返し数、すなわち式（４）のｒは２〜２３）、メトキシポリエチレングリコール／ポリブチレングリコール（メタ）アクリレート（ポリエチレングリコール／ポリブチレングリコールの繰り返し数、すなわち式（４）のｒは２〜２３）、ポリエチレングリコール／ポリブチレングリコール（メタ）アクリレート（ポリエチレングリコール／ポリブチレングリコールの繰り返し数、すなわち式（４）のｒは２〜２３）、メトキシポリエチレングリコール（メタ）アクリルアミド（ポリエチレングリコールの繰り返し数、すなわち式（４）のｒは２〜２３）、ポリエチレングリコール（メタ）アクリルアミド（ポリエチレングリコールの繰り返し数、すなわち式（４）のｒは２〜２３）、２−ヒドロキシエチル（メタ）アクリレート、３−ヒドロキシプロピル（メタ）アクリレート、２，３−ジヒドロキシプロピル（メタ）アクリレート等が挙げられる。これらの中でも、好ましくは、メトキシポリエチレングリコール（メタ）アクリレート（ポリエチレングリコールの繰り返し数、すなわち式（４）のｒは２〜１０）、ポリエチレングリコール（メタ）アクリレート（ポリエチレングリコールの繰り返し数、すなわち式（４）のｒは２〜１０）、メトキシポリエチレングリコール／ポリプロピレングリコール（メタ）アクリレート（ポリエチレングリコール／ポリプロピレングリコールの繰り返し数、すなわち式（４）のｒは２〜１０）、ポリエチレングリコール／ポリプロピレングリコール（メタ）アクリレート（ポリエチレングリコール／ポリプロピレングリコールの繰り返し数、すなわち式（４）のｒは２〜１０）、メトキシポリエチレングリコール／ポリブチレングリコール（メタ）アクリレート（ポリエチレングリコール／ポリブチレングリコールの繰り返し数、すなわち式（４）のｒは２〜１０）、ポリエチレングリコール／ポリブチレングリコール（メタ）アクリレート（ポリエチレングリコール／ポリブチレングリコールの繰り返し数、すなわち、式（４）のｒは２〜１０）、２−ヒドロキシエチル（メタ）アクリレート、２−ヒドロキシエチル（メタ）アクリレート、３−ヒドロキシプロピル（メタ）アクリレート、２，３−ジヒドロキシプロピル（メタ）アクリレートであり、より好ましくは、メトキシポリエチレングリコール（メタ）アクリレート（ポリエチレングリコールの繰り返し数、すなわち式（４）のｒは２〜１０）、ポリエチレングリコール（メタ）アクリレート（ポリエチレングリコールの繰り返し数、すなわち式（４）のｒは２〜１０）である。
【００５１】
前記共重合体は、モノマー（ｄ）に由来する構成単位を共重合体の全質量に対して１〜５０質量％含むことが好ましい。この場合には、共重合体のダメージ毛への親和性が高まり、コンディショニング成分の吸着性を向上させることができる。さらにこの場合には、共重合体における前記ビニルモノマー（ａ）に由来する構成単位の割合を確保して、コンディショニング成分の吸着性を向上させることができる。共重合体における前記モノマー（ｄ）に由来する構成単位の割合は、共重合体の全質量に対して３質量％以上であることがより好ましく、５質量％以上であることがさらに好ましく、１０質量％以上であることが特に好ましい。一方、共重合体における前記モノマー（ｄ）に由来する構成単位の割合は、４０質量％以下であることがより好ましく、３０質量％以下であることが特に好ましい。
【００５２】
前記共重合体は、上述のモノマー（ａ）〜（ｄ）の全てに由来する構成単位を有する。そのため、後述の溶解度パラメータ値（すなわち、ＳＰ値）を所定の範囲に調整することが可能になる。
【００５３】
＜その他のモノマーに由来する構成単位＞
上記のモノマー（ａ）、（ｂ）、（ｃ）及び（ｄ）以外にも、本発明の共重合体には、本発明の効果を損なわない範囲において、更に他のビニルモノマーに由来する構成単位を含有させてもよい。その他のビニルモノマーとしては、例えば、ノニオン性モノマー、両性モノマー、半極性モノマー、カチオン性モノマー等が用いられうる。但し、これらその他のモノマーには、前記のビニルモノマー（ａ）、（ｂ）、（ｃ）及び（ｄ）は含まないものとする。
【００５４】
本発明の共重合体において、その他のモノマーに由来する構成単位の含有量は、本発明の趣旨を逸脱しない範囲内において適宜定めることができる。例えば、共重合体の肌や毛髪への親和性や、毛髪化粧料に用いる場合にはコンディショニング効果等を阻害しない範囲で適宜定めることができ、通常、共重合体の全質量に対して４０質量％以下であり、好ましくは３０質量％以下、より好ましくは２０質量％以下、更に好ましくは１０質量％以下である。
【００５５】
以下に、前記共重合体が含み得るその他のモノマーについて例示するが、前記共重合体は、以下に列挙するもの以外のモノマーに由来する構成単位を含んでいてもよい。また、その他のモノマーに由来する構成単位は前記共重合体中に１種類のみが含まれていても、２種以上が含まれていてもよい。具体的には、共重合体には、さらにノニオン性モノマー、両性モノマー、半極性モノマーカチオン性モノマー等に由来の構成単位が含まれていてもよい。
【００５６】
ノニオン性モノマーとしては、例えば、炭素原子数１〜１１のアルコールと（メタ）アクリル酸とのエステルや、炭素原子数４〜２２のアルキル基を有する１級又は２級アミンと（メタ）アクリル酸とのアミド、（メタ）アクロイルモルホリン等が挙げられる。
【００５７】
両性モノマーとしては、例えば、ベタイン基含有（メタ）アクリルエステル、ベタイン基含有（メタ）アクリルアミド等が挙げられる。
【００５８】
半極性モノマーとしては、例えば、アミンオキシド基含有（メタ）アクリル酸エステル、アミンオキシド基含有（メタ）アクリルアミド等が挙げられる。
【００５９】
カチオン性モノマーとしては、例えば、４級アンモニウム基含有（メタ）アクリル酸エステル、４級アンモニウム基含有（メタ）アクリルアミド等が挙げられる。
【００６０】
また、前記共重合体は、さらに、非ラジカル反応性官能基を有する架橋性単量体由来の構成単位を有することが好ましい。この場合には、従来と同様の設備かつ簡便な手法にて、ラジカル重合で得られる１種以上の異なる機能を有する高分子主鎖同士を共有結合的に接続することが可能となる。その結果、共重合体へのブロック構造や両親媒性の付与が可能になる。これにより、共重合体を例えば毛髪化粧料組成物として用いた場合に、共重合体が毛髪に付着して形成される共重合体フィルムが示す感触や風合いのコントロールが可能になる。
【００６１】
非ラジカル反応性官能基としては、例えばイソシアネート基、エポキシ基、水酸基、アミノ基、カルボン酸基、酸無水物、チオスルフィド基、オキサゾリン基などが挙げられる。反応性の高さや取り扱いのし易さ、反応条件の制限の少なさなどから、特にオキサゾリン系官能基が好ましい。ここでいうオキサゾリン系官能基とは、アルキル基やアリール基などの置換基を有したオキサゾリン基も含めた、オキサゾリン環構造を有するものの総称である。ポリマーの分子量の制御の容易さから、連結モノマーは、ラジカル重合性ビニル系官能基とオキサゾリン系官能基とをそれぞれ少なくとも１つを有することができ、複数有していても良い。好ましくは、ラジカル重合性ビニル系官能基とオキサゾリン系官能基とをそれぞれ１つずつ有することがよい。ラジカル重合性ビニル系官能基とオキサゾリン系官能基は、共有結合により繋がっていることが好ましい。反応性の高さや原料の製造あるいは入手のし易さの観点から、連結モノマーとしては下記式（５）で表されるものが好ましい。
【００６２】
【化１】
2017179121.tif 000002
【００６３】
式（５）中、Ｒ16は水素原子又はメチル基を表し、Ｒ17〜Ｒ20はそれぞれ独立して水素原子、アルキル基、アルコキシアルキル基、アリール基、アルキルアリール基、又はアルコキシアリール基を表し、Ａは任意の２価の連結基又は直接結合を表す。
【００６４】
ここで、Ｒ16は、オキサゾリン系官能基の反応性を高めるために、水素原子が好ましい。
【００６５】
また、Ｒ17〜Ｒ20はそれぞれ独立して水素原子、アルキル基、アルコキシアルキル基、アリール基、アルキルアリール基、又はアルコキシアリール基を表すが、これらの基におけるアルキル基部分及びアルコキシ基は直鎖でも分岐でもよい。これらの基におけるアリール基としてはフェニル基が好ましい。
【００６６】
Ｒ17〜Ｒ20は、より好ましくはそれぞれ独立して、水素原子、炭素数１〜６のアルキル基、炭素数１〜６のアルコキシ基を持つ炭素数１〜６のアルキル基、炭素数１〜６のアルキル基又は炭素数１〜６のアルコキシ基で置換されていてもよいフェニル基である。更に好ましくは水素原子、炭素数１〜６のアルキル基、炭素数１〜６のアルコキシ基を持つ炭素数１〜６のアルキル基であり、なかでも好ましくは水素原子又はメチル基であり、最も好ましくは水素原子である。これは、オキサゾリン系官能基の反応性を高めるためである。
【００６７】
式（５）におけるＡは、オキサゾリン系官能基の反応性を高めるために、直接結合であるのが好ましい。
【００６８】
式（５）で表される、ビニル系官能基とオキサゾリン系官能基を有する連結モノマーは特に限定はされないが、例えば、２−ビニル−２−オキサゾリン、  ２−ビニル−４−メチル−２−オキサゾリン、２−ビニル−４−ジメチル−２−オキサゾリン、２−ビニル−４−ジエチル−２−オキサゾリン、２−ビニル−４−メトキシ−２−オキサゾリン、２−ビニル−４−エトキシ−２−オキサゾリン、２−ビニル−４−メトキシメチル−２−オキサゾリン、２−ビニル−４−フェニル−２−オキサゾリン、２−ビニル−５−メチル−２−オキサゾリン、２−ビニル−５−エチル−２−オキサゾリン、２−ビニル−５−ジメチル−２−オキサゾリン、２−ビニル−５−メトキシ−２−オキサゾリン、２−ビニル−５−エトキシ−２−オキサゾリン、２−ビニル−５−メトキシメチル−２−オキサゾリン、２−ビニル−５−フェニル−２−オキサゾリン、２−ビニル−４−メトキシメチル−５−フェニル−２−オキサゾリン２−イソプロペニル−２−オキサゾリン、２−イソプロペニル−４−メチル−２−オキサゾリン、２−イソプロペニル−４−ジメチル−２−オキサゾリン、２−イソプロペニル−４−ジエチル−２−オキサゾリン、２−イソプロペニル−４−メトキシ−２−オキサゾリン、２−イソプロペニル−４−エトキシ−２−オキサゾリン、２−イソプロペニル−４−メトキシメチル−２−オキサゾリン、２−イソプロペニル−４−フェニル−２−オキサゾリン、２−イソプロペニル−５−メチル−２−オキサゾリン、２−イソプロペニル−５−エチル−２−オキサゾリン、２−イソプロペニル−５−ジメチル−２−オキサゾリン、２−イソプロペニル−５−メトキシ−２−オキサゾリン、２−イソプロペニル−５−エトキシ−２−オキサゾリン、２−イソプロペニル−５−メトキシメチル−２−オキサゾリン、２−イソプロペニル−５−フェニル−２−オキサゾリン、２−イソプロペニル−４−メトキシメチル−５−フェニル−２−オキサゾリンなどが挙げられる。
【００６９】
これらのなかでも反応性の高さや原料の入手のし易さなどから、好ましくは２−ビニル−２−オキサゾリン、２−ビニル−４−ジメチル−２−オキサゾリン、２−ビニル−５−メチル−２−オキサゾリン、２−イソプロペニル−２−オキサゾリン、２−イソプロペニル−４−ジメチル−２−オキサゾリン、２−イソプロペニル−５−メチル−２−オキサゾリン、２−ビニル−４−メトキシメチル−５−フェニル−２−オキサゾリンであり、更に好ましくは、２−ビニル−２−オキサゾリン、２−ビニル−４−ジメチル−２−オキサゾリン、２−ビニル−５−メチル−２−オキサゾリンであり、最も好ましくは２−ビニル−２−オキサゾリンである。
【００７０】
ブロック構造を形成するに当たり、オキサゾリン系官能基を利用して形成される共有結合は、特に限定されるものではないが、好ましくはカルボキシル基と反応したものや、エポキシ基と反応したものである。反応後の構造はそれぞれ下記式（６）の通りである。
【００７１】
【化２】
2017179121.tif 000003
【００７２】
式（６）中、Ｂ及びＣはそれぞれブロックポリマーの一部であり、Ｒ21は前記式（５）におけるＲ16と同義であり、Ｒ22〜Ｒ25はそれぞれ独立して前記式（５）におけるＲ17〜Ｒ20と同義である。
【００７３】
前記共重合体における架橋性単量体由来の構成単位の含有量は１質量％以下であることが好ましい。この場合には、共重合体の架橋密度が低濃度で保たれるため、共重合体を例えば溶液とする場合に溶液がゲル化することを防止できる。そのため、共重合体の溶液の取り扱いが容易になる。
【００７４】
＜構造解析＞
前記共重合体において、モノマー（ａ）、モノマー（ｂ）、モノマー（ｃ）、モノマー（ｄ）、及びその他のモノマーに由来するそれぞれの構成単位の含有量は、例えばＩＲ吸収、ラマン散乱、1Ｈ−ＮＭＲ、13Ｃ−ＮＭＲ、29Ｓｉ−ＮＭＲ、ＧＰＣ、ＧＣ、元素分析等により測定することができる。
【００７５】
＜ＳＰ値について＞
共重合体の溶解度パラメータ値（すなわち、ＳＰ値）は１０．０〜１５．７である必要がある。この範囲であれば疎水的なコンディショニング成分と水との界面に共重合体が偏在しやすくなり、コンディショニング成分の表面部分を若干親水性にすることができる。即ちＳＰ値が上記範囲内にある場合には、親水的なダメージ毛にはコンディショニング成分の吸着を促進させ、疎水的な健常毛にはコンディショニング成分の吸着を抑制させることができる。
【００７６】
共重合体のＳＰ値が１０．０を下回る場合には、疎水性が高すぎて共重合体が水もしくは水溶性有機溶剤に溶けにくくなる。また、この場合には、親水的な表面組成を有するダメージ毛への親和性が低くなる。また、共重合体を主に水もしくは水溶性有機溶剤で構成される毛髪化粧料組成物に用いた場合に、不溶性の異物が発生する虞がある。一方、ＳＰ値が１５．７を超える場合には、疎水的なコンディショニング成分に過度な親水性を付与してしまう。そのため、洗浄水により洗い落とされ易くなり、コンディショニング効果が十分に得られなくなる。ＳＰ値は、１１．０〜１５．０であることがより好ましく、１１．５〜１４．３であることがさらに好ましい。
【００７７】
＜ＳＰ値算出方法＞
（１）下記の参考文献（Ｉ）及び参考文献（II）で定められている結合毎の蒸発エネルギーとモル体積を結合数でかけて合計することで、反応後のモノマーの蒸発エネルギーとモル体積をそれぞれ算出する。蒸発エネルギーとモル体積は文献値を用いることができる。具体的には、以下の文献（Ｉ）及び文献（II）を参考にすることができる。算出にあたっては、二重結合がラジカル反応をおこして開裂した状態としてみなす。たとえば「ＣＨ2＝ＣＨＸ」は「−ＣＨ2−ＣＨＸ」とみなす。
参考文献（Ｉ）・・・ロバート・エフ・ヒョードルス（Ｒｏｂｅｒｔ  Ｆ．Ｆｅｄｏｒｓ）著、液体の溶解度パラメータ及びモル体積推定方法（Ａ  Ｍｅｔｈｏｄ  ｆｏｒ  Ｅｓｔｉｍａｔｉｎｇ  ｂｏｔｈ  ｔｈｅ  Ｓｏｌｕｂｉｌｉｔｙ  Ｐａｒａｍｅｔｅｒｓ  ａｎｄ  Ｍｏｌａｒ  Ｖｏｌｕｍｅｓ  ｏｆ  Ｌｉｑｕｉｄｓ）、ポリマー  エンジニアリング  アンド  サイエンス（Ｐｏｌｙｍｅｒ  Ｅｎｇｉｎｅｅｒｉｎｇ  ＆  Ｓｃｉｅｎｃｅ）、独国、ワイリー（Ｗｉｌｌｅｙ）社、１９７４年、１４巻（ｖｏｌｕｍｅ  １４）２号（ｉｓｓｕｅ  ２）、ｐ．１４７−１５４
参考文献（II）・・・「ポリマーハンドブック第２版（Ｐｏｌｙｍｅｒ  Ｈａｎｄｂｏｏｋ  Ｓｅｃｏｎｄ  Ｅｄｉｔｉｏｎ），ワイリー（Ｗｉｌｌｅｙ）社、１９７４年、セクションIV（Ｓｅｃｔｉｏｎ  IV）、パート１５（ｐａｒｔ  １５）、『溶解度パラメータ値（Ｓｏｌｕｂｉｌｉｔｙ  Ｐａｒａｍｅｔｅｒ  Ｖａｌｕｅｓ）』、ＩＶ、ｐ．３３７−３５９
【００７８】
（２）各モノマーのＳＰ値δmと、反応後モノマーの蒸発エネルギーＥVと、反応後モノマーのモル体積ＶMとは、次の関係式（Ｉ）を満足する。
ＥV／ＶM＝δm2  ・・・（Ｉ）
例えばアクリル酸はＣＨ2＝ＣＨＣＯＯＨであるので、−ＣＨ2−ＣＨＣＯＯＨとみなされるため、各結合蒸発エネルギーＥ及び結合モル体積Ｖは、次の通りであり、
−ＣＨ2−×１・・・ＥV：１１８０ｃａｌ／ｍｏｌ、ＶM：１６．１ｃｍ3／ｍｏｌ
−ＣＨ−×１・・・ＥV：８２０ｃａｌ／ｍｏｌ、ＶM：−１．０ｃｍ3／ｍｏｌ
−Ｃ(Ｏ)−×１・・・ＥV：４１５０ｃａｌ／ｍｏｌ、ＶM：１０．８ｃｍ3／ｍｏｌ
−ＯＨ×１・・・ＥV：７１２０ｃａｌ／ｍｏｌ、ＶM：１０．０ｃｍ3／ｍｏｌ
上記の値の合計からアクリル酸の反応後モノマーの蒸発エネルギーＥVは、１３２７０ｃａｌ／ｍｏｌであり、反応後モノマーのモル体積ＶMは、３５．９ｃｍ3／ｍｏｌである。したがって、アクリル酸については、上記関係式（Ｉ）からδm2＝３６９．６４である。
【００７９】
（３）一方、反応後モノマーのモル体積ＶMと、共重合体組成中での該当モノマーのモルＭと、各モノマーの体積Ｖnとは、次の関係式（II）を満足する。
ＶM×Ｍ＝Ｖn  ・・・（II）
また、各モノマーの体積Ｖnを合計することにより、共重合体の体積ＶPが算出され、Ｖnと、ＶPと、共重合体中の各モノマーの分体積Ｖdとが次の関係式（III）を満足する。
Ｖn／ＶP＝Ｖd  ・・・（III）
【００８０】
（４）共重合体のＳＰ値δpは、下記の関係式（IV）から算出される。
δp＝√Σ（Ｖd×δm2）  ・・・（IV）
式（IV）において、Σ（Ｖd×δm2）は、共重合体における各モノマーの分体積と各モノマーのＳＰ値の二乗との積の総和を表し、√Σ（Ｖd×δm2）はその総和の平方根を表す。具体的には、共重合体のＳＰ値は、{(モノマーＡの分体積)×(モノマーＡのδmの二乗)＋(モノマーＢの分体積)×(モノマーＢのδmの二乗)＋・・・}1/2により、算出される。
【００８１】
＜重量平均分子量＞
共重合体の重量平均分子量は、５，０００〜１，０００，０００であることが好ましく、よ２０，０００〜１００，０００であることがより好ましい。この場合には、共重合体のコンディショニング効果をより向上させることができる。
【００８２】
共重合体の分子量の調整は、例えば、共重合体の重合度を制御することによって行うことができる。また、多官能アクリレート等の架橋剤の添加量を増減することによっても分子量を制御することができる。
【００８３】
共重合体の重量平均分子量はゲルパーミエーションクロマトグラフィー（ＧＰＣ）により測定することができる。ゲルパーミエーションクロマトグラフィーで用いられる展開溶媒は通常用いられるものであれば特に限定されるものではないが、例えば、後述の実施例の項に示される水／メタノール／酢酸／酢酸ナトリウムの混合系溶媒を用いて測定し、ポリエチレングリコールを標準物質とした値を用いることができる。
【００８４】
共重合体は、これを水又は水溶性有機溶剤に溶解させた溶液として用いることができる。水溶性有機溶剤としては、例えばアルコールがある。具体的には、共重合体をエタノール溶媒又はエタノール−水混合溶媒に溶解させた溶液を用いることができる。
【００８５】
＜粘度＞
共重合体をエタノール溶媒又はエタノール−水混合溶媒に溶解した溶液の温度２５℃での粘度は、５ｍＰａ・ｓ〜２００００ｍＰａ・ｓであることが好ましく、１０ｍＰａ・ｓ〜１００００ｍＰａ・ｓであることがより好ましく、１５ｍＰａ・ｓ〜５０００ｍＰａ・ｓであることが更に好ましい。この場合には、ハンドリングが良好になる。この粘度はＢ型粘度計等を用いて測定することが可能である。
【００８６】
上述の重量平均分子量と同様に、共重合体の粘度の調整は、例えば、共重合体の重合度を制御したり、多官能アクリレート等の架橋剤の添加量を増減することによって制御することができる。
【００８７】
＜共重合体の製造方法＞
前記共重合体は、例えば、各構成単位を与えるモノマー又はその前駆体を混合し、溶液重合、懸濁重合、乳化重合等の方法により共重合させた後、必要に応じてポリシロキサン構造の付加、縮合反応等を行うことにより製造することができる。
【００８８】
カルボキシル基を有するビニルモノマー（ａ）の対イオンは、重合する前に中和反応により一部又は全部を水素イオン以外のものに代えて重合に供することもでき、或いは、重合やその他の反応の後に中和反応により一部を水素イオン以外のものに代えることもできる。これらはその合成のし易さにより適宜選択して行うことができる。
【００８９】
重合反応は親水性溶媒中で行うことが好ましい。親水性溶媒としては、アセトン、メチルエチルケトン、メチルイソブチルケトン等のケトン系溶媒、メタノール、エタノール、ｎ−プロパノール、ｉ−プロパノール、ｎ−ブタノール、ｉ−ブタノール、ｓｅｃ−ブタノール等のアルコール系溶媒、水等が挙げられる。これらは単独で用いても２種以上を併用してもよい。なかでもアルコール系溶媒を用いることが好ましい。
【００９０】
重合開始剤としては、２，２’−アゾビスイソブチロニトリル、２，２’−アゾビス（２，４−ジメチルバレロニトリル）、２，２’−アゾビス（４−メトキシ−２，４−ジメチルバレロニトリル）、ジメチル−２，２’−アゾビスイソブチレート、２，２’−アゾビス（２−メチルブチロニトリル）、１，１’−アゾビス（１−シクロヘキサンカルボニトリル）、２，２’−アゾビス（２−メチル−Ｎ−（２−ヒドロキシエチル）−プロピオンアミド）、２，２’−アゾビス（２−アミジノプロパン）二塩酸塩等のアゾ化合物、ベンゾイルパーオキシド、ジクミルパーオキシド、ジ−ｔ−ブチルパーオキシド、ラウロイルパーオキシド等の過酸化物、過硫酸塩、又はそのレドックス系等、特に限定することなく用いることができる。重合開始剤は全モノマーに対して、０．０１〜５質量％の範囲で用いることが好ましい。
【００９１】
重合反応は、例えば、窒素やアルゴン等の不活性ガス雰囲気下で、好ましくは３０〜１２０℃、より好ましくは４０〜１００℃で通常１〜３０時間行うことができる。重合終了後は、生成した共重合体を、溶媒留去、貧溶媒の添加等適宜の手段で反応液から単離することができる。この共重合体はそのままの状態で、あるいは更に精製して、例えば化粧料の製造に用いることができる。精製には、再沈殿、溶媒洗浄、膜分離等を利用することができ、必要に応じてこれらの精製方法を適宜組み合わせることができる。
【００９２】
＜カルボキシル基の中和＞
共重合体が有する全カルボキシル基のうち、一部が中和されていてもよい。中和することで、カルボキシル基のイオン性が高くなり、例えばカチオン界面活性剤との相互作用が強くなる。その一方で、共重合体のイオン性が高くなると、水、カチオン界面活性剤、及び高級アルコール等から形成されるラメラゲルの構造が破壊されるおそれがある。したがって、中和されるカルボキシル基は少ない方が好ましい。
【００９３】
共重合体に対して用いることのできる中和剤としては、水酸化ナトリウム、水酸化カリウム等のアルカリ金属の水酸化物；水酸化カルシウム、水酸化マグネシウム等のアルカリ土類金属の水酸化物；アンモニアやジチルアミン、トリエチルアミン、ジエタノールアミン、２−アミノ−２−メチルプロパノール等のアミン類が挙げられる。
【００９４】
［毛髪化粧料組成物］
前記毛髪化粧料組成物は、上述の共重合体０．０５〜２０質量％を含有することが好ましい。毛髪化粧料組成物は、その他に、溶媒、分散媒、各種用途に適した添加剤などを含有することができる。本明細書において、毛髪化粧料組成物とは、毛髪及び頭皮に使用する任意の化粧料用の組成物を意味する。具体的には、例えば、シャンプー、リンス、コンディショナー、トリートメント、染毛剤、パーマ剤、アウトバス用トリートメント、ヘアパック、ヘアスプレー、ヘアフォーム、スタイリング剤等に用いられる。また、その使用形態も、毛髪や頭皮等に塗布し全体によくなじませた後に洗い流す（濯ぐ）ものや、洗い流さないもの等があり、いずれの使用形態でもよい。
【００９５】
＜共重合体＞
毛髪化粧料組成物中の共重合体０．０５〜２０質量％の場合には、肌や毛髪に対する共重合体の吸着力が向上し、濯ぎ時のなめらかさや乾燥後のサラサラ感等のコンディショニング効果がより良好になる。さらに、この場合には、乾燥後のゴワツキ感がより抑制され、しっとり感を向上させることができる。
【００９６】
コンディショニング効果をより高めるという観点から、毛髪化粧料組成物中の共重合体の含有量は、０．１質量％以上がより好ましく、０．２質量％以上がさらに好ましい。また、ゴワツキ感をより抑制し、しっとり感をより向上させるという観点から、毛髪化粧料組成物中の共重合体の含有量は、１０質量％以下がより好ましい。毛髪化粧料組成物は、前記共重合体を１種類含有していてもよいし、２種類以上含有していてもよい。
【００９７】
＜溶媒又は分散媒＞
毛髪化粧料組成物は、前記共重合体を溶解可能な溶媒、又は前記共重合体を分散可能な分散媒を含有することができる。これらの溶媒又は分散媒としては、例えば、エタノール、イソプロパノール、ブタノール等の低級アルコール、水が挙げられる。これらの溶媒、分散媒は、１種又は２種以上を併用することができる。毛髪化粧料組成物は、水を含有することが好ましい。毛髪化粧料組成物が浴室内で用いられる場合、すなわち、インバス系用途の場合には、毛髪化粧料組成物中の水の含有量は５５〜９９．６質量％以上であることが好ましい。この場合には、粘度が高くなりすぎるのを抑え、取り扱い易い性や塗布時の使用感を向上させることができる。一方、毛髪化粧用組成物がアウトバストリートメント等の浴室外で用いられる場合には、毛髪化粧料組成物中の水の含有量は０．１〜９９質量％であることが好ましい。
【００９８】
毛髪化粧料組成物は、さらにカチオン界面活性剤０．１〜２０質量％と、高級アルコール０．１〜２０質量％とを含有することが好ましい。この場合には、毛髪化粧料組成物が浴室内等で使用されるコンディショニング剤（すなわち、リンス）に好適になる。
【００９９】
＜カチオン界面活性剤＞
カチオン界面活性剤としては、特に制限されないが、塩化ステアリルトリメチルアンモニウム、塩化ラウリルトリメチルアンモニウム等のアルキルトリメチルアンモニウム塩、塩化セチルピリジニウム等のアルキルピリジニウム塩、塩化ジステアリルジメチルアンモニウムジアルキルジメチルアンモニウム塩、塩化ポリ（Ｎ，Ｎ’−ジメチル−３，５−メチレンピペリジニウム）、アルキル四級アンモニウム塩、アルキルジメチルベンジルアンモニウム塩、アルキルイソキノリニウム塩、ジアルキルモリホニウム塩、ポリオキシエチレンアルキルアミン、アルキルアミン塩、ポリアミン脂肪酸誘導体、アミルアルコール脂肪酸誘導体、塩化ベンザルコニウム、塩化ベンゼトニウム等が挙げられる。カチオン界面活性剤は１種のみでも２種以上を組み合わせても使用可能である。
【０１００】
毛髪化粧料組成物中のカチオン界面活性剤の含有量は、２０質量％以下であることが好ましく、１０質量％以下であることがより好ましい。一方、カチオン界面活性剤の機能を十分に得るためにはカチオン界面活性剤の含有量は０．１質量％以上であることが好ましく、１質量％以上でることがより好ましい。
【０１０１】
＜高級アルコール＞
毛髪化粧料組成物は、高級アルコールを含有することができる。「高級アルコール」とは炭素数１２〜２４のアルコールを意味する。高級アルコールとしては、１価のアルコールが好ましい。高級アルコールの具体例としては、セチルアルコール、ステアリルアルコール等が挙げられる。
【０１０２】
毛髪化粧料組成物が、高級アルコールを水、カチオン界面活性剤と共に用いることにより、ラメラ構造と呼ばれるゲルが形成される。そのため、毛髪化粧料組成物がなめらかさやしっとり感の機能を発揮することができる。したがって、高級アルコールは水、カチオン界面活性剤と共に用いることが好ましい。ラメラ構造は、カチオン界面活性剤、高級アルコール、水を例えば加熱混合することによって形成される。高級アルコールは１種類のみでも２種以上を組み合わせて用いてもよいが、
【０１０３】
毛髪化粧料組成物の粘度を適度に押さえ塗布時のなめらかさを向上させるためには、毛髪化粧料組成物中の高級アルコールの合計の含有量は、２０質量％以下であることが好ましく、１０質量％以下であることがさらに好ましい。一方、高級アルコールの機能を十分に得るためには、毛髪化粧料組成物中の高級アルコールの含有量は０．１質量％以上であることが好ましく、１質量％以上であることがより好ましい。
【０１０４】
＜アニオン界面活性剤＞
毛髪化粧料組成物は、カチオン界面活性剤の代わりにアニオン界面活性剤を含有することもできる。すなわち、毛髪化粧料組成物は、共重合体０．０５〜２０質量％と、アニオン界面活性剤５〜４０質量％とを含有することが好ましい。この場合には、毛髪化粧料組成物が浴室内等で使用される毛髪洗浄剤（すなわち、シャンプー）に好適になる。
【０１０５】
アニオン界面活性剤としては、例えばα−オレフィンスルホン酸塩、高級アルコール硫酸エステル塩、ポリオキシエチルアルキルエーテル硫酸エステル塩、パラフィンスルホン酸塩、ポリオキシエチレンアルキルエーテルカルボン酸エステル塩、アルキルスルホコハク酸塩、Ｎ−アシル−β−アラニン塩、Ｎ−アシルグルタミン酸塩、アシルメチルタウリン酸塩等の毛髪化粧料に常用されているものを用いることができる。これらのアニオン界面活性剤の対イオンとしては、ナトリウム、カリウム、アンモニウム、トリエタノールアミン、ジエタノールアミンなどが挙げられる。なお、アニオン界面活性剤は１種又は２種以上を用いることができる。
【０１０６】
毛髪化粧料組成物中のアニオン界面活性剤の含有量は、５〜４０質量％であることが好ましく、１０〜３０質量％であることがより好ましい。この場合には、アニオン界面活性剤の添加効果が十分に得られて例えば洗浄性が向上し、さらに粘度が好適になって取り扱い性が向上する。
【０１０７】
＜シリコーン油＞
前記毛髪化粧料組成物は、さらにシリコーン油を含有することが好ましい。この場合には、毛髪化粧料組成物が毛髪へのなめらかさ、すべり感を発揮することができる。また、毛髪化粧料組成物は、ダメージ毛に対する親和性に優れた部位とシリコーン油との親和性に優れた部位とを有する上述の共重合体を有している。そのため、ダメージ毛に対して選択的にシリコーン油を供給させることができる。毛髪化粧料組成物中のシリコーン油の含有量は１０質量％以下であることが好ましい。この場合には、乾燥後の毛髪が重い感触になることを防止することができる。より好ましくはシリコーン油の含有量は８質量％以下がよい。シリコーン油の含有量の下限値には特に制限が無く、ノンシリコーン系の毛髪化粧料に用いられる場合には、０質量％である。シリコーン系の毛髪化粧料に用いられる場合には、シリコーン油の含有量の下限値は０．１質量％が好ましく、１質量％がより好ましい。
【０１０８】
シリコーン油の種類は特に限定されないが、例えば、ポリジメチルシロキサン、ポリジメチルシロキサンアルキレンオキシド共重合体、アミノ変性ポリジメチルシロキサン、ポリエーテル変性ポリジメチルシロキサン、メチルフェニルポリシロキサン、エポキシ変性ポリジメチルシロキサン、フッ素変性ポリジメチルシロキサン、アルコール変性ポリジメチルシロキサン、アルキル変性ポリジメチルシロキサン、アルコキシ変性ポリジメチルシロキサン及び環状シリコーン等が挙げられる。シリコーン油は、１種類を単独で用いてもよいし２種類以上を併用してもよい。
【０１０９】
ポリジメチルシロキサンとしては、例えば「ＫＦ９６Ｈ−１００万」（信越化学工業株式会社製）、「ＳＨ２００」、「ＢＹ１１−００７」、「ＢＹ２２−０２９」（いずれも東レ・ダウコーニング・シリコーン株式会社製）、「ＴＳＦ４５１」（東芝シリコーン株式会社製）、「Ｌ−４５」（日本ユニカー株式会社製）等の市販品が挙げられる。
【０１１０】
ポリジメチルシロキサンアルキレンオキシド共重合体としては、例えば「Ｆ−１７８−２１」（日本ユニカー株式会社製）が挙げられる。
【０１１１】
アミノ変性ポリジメチルシロキサンとしては、例えば、アミノエチル基、アミノプロピル基等のアミノアルキル基を有するシロキサン、プロピレングリコールが付加されたアミノ基（アミノグリコール変性）を有するシロキサンが挙げられ、これらはアルキル基や水酸基等の置換基を有していてもよい。アルキル基としては炭素数１〜１２の直鎖又は分岐のアルキル基が好ましい。これらのアミノ変性ポリジメチルシロキサンは、ジメチルシロキサンとアミノアルキル基を有するシロキサンとを共重合させるか、又はポリジメチルシロキサンを、アミノアルキル基を有する化合物で後変性してポリジメチルシロキサン骨格にアミノアルキル基を導入することにより得られる。市販品としては、例えば、「ＵＳ  ＡＲ  ＳＩＬＩＣＯＮＥ  ＡＬＥ５６」（ユニオン・カーバイド社製）、「ＡＢＩＬ９９０５」（ザ・ゴールドシュミットＡＧ社製）、「ＫＦ８５７」、「ＫＦ８６７」、「ＫＦ８６５」（いずれも信越化学工業株式会社製）、「ＳＭ８７０２Ｃ」、「ＪＰ８５００」（東レ・ダウコーニング・シリコーン株式会社製）、「ＦＺ−３７０７」（日本ユニカー株式会社製）等がある。
【０１１２】
ポリエーテル変性ポリジメチルシロキサンとしては、例えば、オキシエチレン、オキシプロピレン、オキシブチレン、オキシペンタメチレン、オキシヘキサメチレン、オキシ（２，２−ジメチル）プロピレン等の単量体骨格を有するシロキサン、ポリオキシエチレン、ポリオキシプロピレン、ポリオキシブチレン、ポリオキシペンタメチレン、ポリオキシヘキサメチレン等の単独共重合体骨格又はポリ（オキシエチレンオキシプロピレン）共重合体等の共重合体骨格のオキシアルキレン基を有するシロキサンが挙げられる。これらは水酸基やアルキル基等の置換基を有していてもよい。アルキル基としては炭素数１〜１２の直鎖又は分岐のアルキル基が好ましい。これらの中でも特に好ましくは、共重合体骨格にオキシアルキレン基を有するシロキサンがよい。このようなオキシアルキレン基を有する変性ポリジメチルシロキサンの製造方法は、例えば、ジメチルシロキサンと、オキシアルキレン基を有するシロキサンとを共重合させる方法、又はポリジメチルシロキサンを前記オキシアルキレン基を有する化合物で後変性して、ポリジメチルシロキサン骨格にオキシアルキレン基を導入する方法等がある。ポリエーテル変性ポリジメチルシロキサンとして最も好ましくは、ジメチルシロキサンと、前記共重合体骨格のオキシアルキレン基を有するシロキサンとを共重合させて得られるシロキサンである。ポリエーテル変性ポリジメチルシロキサンの市販品としては、例えば、「ＫＦ９４５Ａ」、「ＫＦ３５１Ａ」、「ＫＦ３５４Ａ」（信越化学工業株式会社製）、「ＳＨ３７７１Ｃ」、「ＳＨ３７４９」（東レ・ダウコーニング・シリコーン株式会社製）、「Ｌ−７６０２Ｃ」、「Ｌ−７２０」（日本ユニカー株式会社製）、「ＳＦ１０６６」（ゼネラル・エレクトリックス・カンパニー製）等がある。
【０１１３】
メチルフェニルポリシロキサンとしては、例えば「ＫＦ５６」（信越化学工業株式会社製）、「ＳＨ５越化学工業株式会社製）、「ＰＳ９２２」（チッソ株式会社製）、「Ｌ−９３０」（日本ユニカー株式会社製）等の市販品が挙げられる。
【０１１４】
フッ素変性ポリジメチルシロキサンとしては、例えば「Ｘ−２２−８２０」（信越化学工業株式会社製）、「ＰＳ１８２」（チッソ株式会社製）等の市販品が挙げられる。
【０１１５】
アルコール変性ポリジメチルシロキサンとしては、例えば「ＫＦ８５１」（信越化学工業株式会社製）、「ＦＭ４４１１」（チッソ株式会社製）、「ＦＺ−３７２２」、「Ｆ−２３５−２１」（日本ユニカー株式会社製）等の市販品が挙げられる。
【０１１６】
アルキル変性ポリジメチルシロキサンとしては、「ＫＦ４１０」、「ＫＦ−４１３」（信越化学工業株式会社製）、「ＰＳ１３０」、「ＰＳ１３７」（チッソ株式会社製）等の市販品が挙げられる。
【０１１７】
アルコキシ変性ポリジメチルシロキサンとしては、例えば「ＰＳ９１２」（チッソ株式会社製）、「ＦＺ−３７０１」（日本ユニカー株式会社製）等の市販品が挙げられる。
【０１１８】
環状シリコーンとしては、例えば「ＳＨ２４４」、「ＳＨ２４５」、「ＳＨ２４６」（東レ・ダウコーニング・シリコーン株式会社製）等の市販品が挙げられる。
【０１１９】
＜その他の成分＞
前記毛髪化粧料組成物は、その効果を損なわない限り、上述の共重合体、水、カチオン界面活性剤、アニオン界面活性剤、高級アルコール、シリコーン油以外にも、他の任意成分を含有することができる。このような任意成分としては、カチオン界面活性剤及びアニオン界面活性剤以外の各種界面活性剤、カチオン性高分子、アニオン性高分子、ノニオン性高分子、両性高分子等の高分子、炭化水素油分、保湿剤（すなわち、水溶性高分子）、ｐＨ調整剤、防腐剤、増粘剤等を適宜組み合わせて使用することができる。
【０１２０】
カチオン界面活性剤及びアニオン界面活性剤以外の界面活性剤としては、親水性非イオン界面活性剤、両性界面活性剤、半極性界面活性剤等が挙げられる。毛髪化粧料組成物中におけるこれらの界面活性剤の含有量は５質量％以下であることが好ましい。
【０１２１】
親水性非イオン界面活性剤としては、例えば、ＰＯＥソルビタンモノオレエート、ＰＯＥソルビタンモノステアレート、ＰＯＥソルビタンモノオレエート、ＰＯＥソルビタンテトラオレエート等のＰＯＥソルビタン脂肪酸エステル類；ＰＯＥソルビットモノラウレート、ＰＯＥソルビットモノオレエート、ＰＯＥソルビットペンタオレエート、ＰＯＥソルビットモノステアレート等ＰＯＥソルビット脂肪酸エステル類；ＰＯＥグリセリンモノステアレート、ＰＯＥグリセリンモノイソステアレート、ＰＯＥグリセリントリイソステアレート等のＰＯＥモノオレエート等のＰＯＥグリセリン脂肪酸エステル類；ＰＯＥジステアレート、ＰＯＥモノジオレエート、ジステアリン酸エチレングリコール等のＰＯＥ脂肪酸エステル類；ＰＯＥラウリルエーテル、ＰＯＥオレイルエーテル、ＰＯＥステアリルエーテル、ＰＯＥベヘニルエーテル、ＰＯＥ２−オクチルドデシルエーテル、ＰＯＥコレスタノールエーテル等のＰＯＥアルキルエーテル類；プルロニック等のプルロニック型類；ＰＯＥ・ＰＯＰセチルエーテル、ＰＯＥ・ＰＯＰ−２−デシルテトラデシルエーテル、ＰＯＥ・ＰＯＰモノブチルエーテル、ＰＯＥ・ＰＯＰ水添ラノリン、ＰＯＥ・ＰＯＰグリセリンエーテル等のＰＯＥ・ＰＯＰアルキルエーテル類；テトロニック等のテトラＰＯＥ・テトラＰＯＰエチレンジアミン縮合物類；ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油モノピログルタミン酸モノイソステアリン酸ジエステル、ＰＯＥ硬化ヒマシ油マレイン酸等のＰＯＥヒマシ油硬化ヒマシ油誘導体；ＰＯＥソルビットミツロウ等のＰＯＥミツロウ・ラノリン誘導体；ヤシ油脂肪酸ジエタノールアミド、ラウリン酸モノエタノールアミド、脂肪酸イソプロパノールアミド等のアルカノールアミド；ＰＯＥプロピレングリコール脂肪酸エステル；ＰＯＥアルキルアミン；ＰＯＥ脂肪酸アミド；ショ糖脂肪酸エステル；アルキルエトキシジメチルアミンオキシド；トリオレイルリン酸等が挙げられる。なお、ＰＯＥは「ポリオキシエチレン」を表し、ＰＯＰは「ポリオキシプロピレン」を表す。これらの親水性非イオン界面活性剤は１種のみでも、複数種を任意の組み合わせ及び配合比率で組み合わせて使用することもできる。
【０１２２】
両性界面活性剤としては、例えば、２−ウンデシル−Ｎ，Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩等のイミダゾリン系両性界面活性剤；２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、スルホベタイン等のベタイン系界面活性剤等が挙げられる。これらの両性界面活性剤は１種のみでも、複数種を任意の組み合わせ及び配合比率で組み合わせて使用することもできる。
【０１２３】
半極性界面活性剤としては、例えば、ラウラミンオキシド（ラウリルジメチルアミンオキシド）が挙げられ、好適に用いることができる。半極性界面活性剤は１種のみでも、複数種を任意の組み合わせ及び配合比率で組み合わせて使用することもできる。このような界面活性剤としては例えば市販品を使用することができる。
【０１２４】
カチオン性高分子としては、カチオン変性セルロースエーテル誘導体、カチオン変性ガラクトマンナン多糖類、キチン・キトサン誘導体、ポリジメチルジアリルアンモニウムハライド、ジメチルジアリルアンモニウムハライドとアクリルアミドのコポリマー等が挙げられる。また、アニオン性高分子やノニオン性高分子としては、アクリル酸誘導体（アクリル酸ヒドロキシエチル・アクリル酸メトキシエチル共重合体、ポリアクリルアミド等）、ビニルピロリドン誘導体（ポリビニルピロリドン、ビニルピロリドン・酢酸ビニル共重合体等）、植物由来の天然高分子（グアーガム、ローカストビーンガム、カラギーナン、ヒアルロン酸等）が、そして両性高分子としては、塩化ジメチルジアリルアンモニウム誘導体（アクリルアミド・アクリル酸・塩化ジメチルジアリルアンモニウム共重合体、アクリル酸・塩化ジメチルジアリルアンモニウム共重合体等）等が挙げられる。なお、以上に挙げたカチオン性高分子、アニオン性高分子、ノニオン性高分子及び両性高分子には本発明の共重合体は含まれないものとする。これらの保湿剤を用いる場合には１種のみでも、複数種を任意の組み合わせ及び配合比率で組み合わせて使用することも。毛髪化粧料組成物全体中のこれらの高分子の含有量は５質量％以下であることが好ましい。
【０１２５】
炭化水素油分としては、イソパラフィン等の流動パラフィン、固形パラフィン、ワセリン、セレシン、マイクロクリスタリンワックス等が挙げられる。これらの炭化水素油分は１種のみでも、複数種を任意の組み合わせ及び配合比率で組み合わせて使用することもできる。毛髪化粧料組成物中の炭化水素油分の含有量は５質量％以下であることが好ましい。
【０１２６】
保湿剤としては、例えば、グリセリン、ジプロピレングリコール、１，３−ブタンジオール、エリスリトール等の多価アルコール；メチルセルロース、ヒアルロン酸等の水溶性高分子が挙げられる。
【０１２７】
ｐＨ調整剤としては、例えばクエン酸、酒石酸等が挙げられる。これらのｐＨ調整剤は１種のみでも、複数種を任意の組み合わせ及び配合比率で組み合わせて使用することもできる。毛髪化粧料組成物中のｐＨ調整剤の含有量は０．１質量％以下であることが好ましい。
【０１２８】
防腐剤としては、例えば安息香酸ナトリウムが挙げられる。防腐剤は１種のみでも、複数種を任意の組み合わせ及び配合比率で組み合わせて使用することもできる。毛髪化粧料組成物中の防腐剤の含有量は０．１質量％以下であることが好ましい。
【０１２９】
増粘剤としては、例えばヒドロキシメチルセルロース、ヒドロキシエチルセルロース、グアーガム、ローカストビーンガム、寒天等が挙げられる。これらの増粘剤は１種のみでも、複数種を任意の組み合わせ及び配合比率で組み合わせて使用することもできる。毛髪化粧料組成物中の増粘剤の含有量は５質量％以下であることが好ましい。
【０１３０】
上記に挙げたもの以外の任意成分としては、動植物の天然エキス又はその誘導体；乳酸等の有機酸；塩化ナトリウム等の無機塩；グルタミン酸又はその塩、アルギニン又はその塩、グリシン等のアミノ酸類；酸化防止剤；紫外線吸収剤；殺菌剤；キレート剤；香料；色剤；エデト酸塩等の金属封鎖剤；起泡増進剤等がある。毛髪化粧料組成物は、その効果を損なわない範囲で、これらの任意成分を含有することができる。毛髪化粧料組成物中のこれらの成分の含有量は２０質量％以下であることが好ましい。前記化粧料組成物は、以上で挙げた成分以外の成分を含有することを妨げない。
【０１３１】
毛髪化粧料組成物の粘度は、その用途により異なるが、例えば、温度２５℃で粘度が３００ｍＰａ・ｓ以上１００，０００ｍＰａ・ｓ以下であることが好ましい。毛髪化粧料組成物の粘度が上記範囲内であるとハンドリングが良好になる。粘度は、１，０００ｍＰａ・ｓ以上がより好ましく、２，０００ｍＰａ・ｓ以上が更に好ましく、５，０００ｍＰａ・ｓ以上がさらにより好ましく、１０，０００ｍＰａ・ｓ以上が特に好ましい。一方、粘度は、９０，０００ｍＰａ・ｓ以下がより好ましく、８０，０００ｍＰａ・ｓ以下が更に好ましい。毛髪化粧料組成物の粘度は、Ｂ型粘度計やＢ８Ｈ型粘度計を用いて測定することが可能である。
【０１３２】
［毛髪化粧料］
前記毛髪化粧料組成物は毛髪化粧料として特に有用である。毛髪化粧料とは、特に限定されないが、例えば、リンス、コンディショナー、トリートメント等のインバストリートメント；シャンプー等のインバス洗浄剤；ヘアオイル、ヘアミルク、ヘアウォーター、ヘアミスト、ヘアジェル、ヘアスプレー等のアウトバストリートメント；ヘアパック、ヘアフォーム、ヘアミスト、ヘアジェル、ヘアスプレー等のスタイリング剤：ヘアカラー等の染毛剤等が挙げられる。これらのうち、インバストリートメント、インバス洗浄剤、アウトバストリートメントが好ましい。
【実施例】
【０１３３】
以下に、本発明の実施例を用いて更に具体的に説明するが、本発明はその要旨を越えない限り以下の実施例に限定されるものではない。なお、以下の実施例における各種の製造条件や評価結果の値は、本発明の実施態様における上限または下限の好ましい値としての意味をもつものであり、好ましい範囲は前記した上限または下限の値と、下記実施例の値または実施例同士の値との組み合わせで規定される範囲であってもよい。
【０１３４】
（実施例１）
本例においては、本発明の実施例にかかる共重合体を製造する。本例の共重合体は、以下のようにして製造した。
【０１３５】
まず、還流冷却器、滴下ロート、温度計、窒素ガス導入管、及び撹拌装置を備えた反応器内にエタノール１００質量部を仕込み、滴下ロート内に下記表１の組成Ａのモノマー類及びエタノール２５質量部からなる組成物Ａ混合液を仕込んだ。次いで、反応器内を窒素置換した後温度８０℃まで加熱した。反応器内に、ジメチル−２，２’−アゾビスイソブチレート（具体的には、和光純薬工業（株）製の「Ｖ−６０１」）０．１５質量部を投入した後、滴下ロート内の組成Ａ混合液を８０分かけて滴下した。滴下終了後から４時間熟成させた。
【０１３６】
続いて、滴下ロート内に下記表１の組成Ｂのモノマー類及びエタノール２５質量部からなる組成Ｂ混合液を仕込み、滴下ロート内を窒素置換した。次いで、窒素雰囲気下で温度８０℃に加熱状態の反応器内にジメチル−２，２’−アゾビスイソブチレート（具体的には、和光純薬工業（株）製の「Ｖ−６０１」）０．１５質量部を投入した後、滴下ロート内の組成Ｂ混合液を２時間かけて滴下した。滴下終了後から５時間熟成させた後、反応器内を冷却した。このようにして共重合体を得た。
【０１３７】
なお、下記の表１において、ＡＡはアクリル酸を表し、ＨＥＡＡはＮ−（２−ヒドロキシエチル）アクリルアミドを表し、ＤＭＡＡはＮ，Ｎ−ジメチルアクリルアミドを表し、ＦＭ０７１１は
(株)ＪＮＣ製の「サイラプレーンＦＭ０７１１」を表し、ＩＢＭＡはイソブチルメタクリレートを表し、ＰＥＧ４ＭＡはメトキシＰＥＧ（４モル）メタクリレートを表し、ＶＯＺＯは２−ビニル−２−オキサゾリンを表す。
【０１３８】
（実施例２）
本例は、実施例１とは組成の異なる共重合体を製造する例である。本例の共重合体は以下のようにして製造した。
【０１３９】
まず、還流冷却器、滴下ロート、温度計、窒素ガス導入管、及び撹拌装置を備えた反応器内にエタノール１００質量部を仕込み、滴下ロート内に下記表１の組成Ａのモノマー類及びエタノール１００質量部からなる組成Ａ混合液を仕込んだ。次いで、反応器内を窒素置換した後温度８０℃まで加熱した。反応器内に、ジメチル−２，２’−アゾビスイソブチレート（具体的には、和光純薬工業（株）製の「Ｖ−６０１」）０．３質量部を投入した後、滴下ロート内の組成Ａ混合液を２時間かけて滴下した。滴下終了後から５時間熟成させた後冷却した。このようにして共重合体を得た。
【０１４０】
（実施例３、比較例１、及び比較例２）
モノマー類の組成を下記表１に示すように変更した点を除いては、実施例１と同様にして共重合体を合成した。
【０１４１】
（比較例３）
モノマー類の組成を下記表１に示すように変更した点を除いては、実施例２と同様にして共重合体を合成した。
【０１４２】
［共重合体の物性測定］
実施例１〜３、比較例１〜３の共重合体について、ＳＰ値及び重量平均分子量を下記のようにして測定した。その結果を表１に示す。
【０１４３】
＜ＳＰ値＞
各共重合体のＳＰ値は既述の方法にしたがって算出した。
【０１４４】
＜重量平均分子量（Ｍｗ）の測定＞
各共重合体の重量平均分子量は、ゲルパーミエーションクロマトグラフィー（すなわちＧＰＣ）法により測定した。測定装置としては、東ソー株式会社製の「ＤＰ−８０２０（送液ポンプ），ＣＯ−８０２０（カラムオーブン），ＡＳ−８０２０（オートサンプラー），ＳＤ−８０２２（デガッサー），ＲＩ−８０２０（屈折率検出器）」を用い、測定用カラムとしては和光純薬工業株式会社の「Ｗａｋｏｐａｋ（ＷａｋｏｂｅａｄｓＧ−５０）」を用いた。また、展開溶媒としては、水／メタノール／酢酸／酢酸ナトリウム＝６／４／０．３／０．４１（質量比）の混合溶媒を用いた。重量平均分子量は、標準物質で校正した値であり、標準物質としては、ポリエチレングリコールを用いた。なお、比較例１及び比較例２の共重合体は、展開溶媒に不溶なためＭｗの測定できなかった。
【０１４５】
［毛髪化粧料組成物の評価］
実施例１〜３及び比較例１〜３の共重合体を用いて、毛髪化粧料組成物を作製し、健常毛及びダメージ毛に対するシリコーンの吸着量を比較評価した。まず、各実施例、比較例の共重合体２．０質量部と、エタノール４．７質量部と、水３．３質量部と、市販品コンディショナー９０．０質量部とを混合することにより、毛髪化粧料組成物を作製した。市販品コンディショナーとは、例えばロレアル  パリ(株)製のエルセーヴ  ダメージケアＰＲＯEX  コンディショナー〈リンス〉、プロクター＆ギャンブル(株)製のパンテーン  エクストラ  ダメージケア  コンディショナー、ユニリーバ(株)製のラックス  スーパーダメージリペア  コンディショナー等の市販品の毛髪用コンディショナー剤が該当する。比較例４は健常毛とダメージ毛を市販品シャンプーで処理した後、共重合体未配合の市販品コンディショナー９０質量部、水１０質量部を混合したコンディショナーを使用した場合のシリコーン吸着量を表１に示す。本評価における市販品としては、具体的には、ロレアル  パリ(株)製のエルセーヴ  ダメージケアＰＲＯEX  コンディショナー〈リンス〉を採用した。
【０１４６】
＜健常毛＞
「健常毛」として、人毛黒髪（１００％）根本揃え（未処理毛、１０ｇ×３０ｃｍ、（株）ビューラックス社製）を準備した。この健常毛をラウロイル（ＥＯ）３硫酸ナトリウム（ポリオキシエチレン（３）ラウリルエーテル硫酸ナトリウム）で洗浄した後、乾燥させた。乾燥後の毛束５ｇを束ね、これを健常毛のサンプル毛束とした。
【０１４７】
＜ダメージ毛＞
人毛黒髪（１００％）根本揃え（未処理毛、１０ｇ×３０ｃｍ、（株）ビューラックス社）をブリーチ処理したものを「ダメージ毛」として使用した。具体的には、まず、ヘンケルジャパン（株）製「カラーアクシス  エクストラデベロッパーａ  ６％（過酸化水素６％クリーム）」１２ｇ及び（株）メロス化学製「パウダーブリーチＭＲ２」６ｇを混合してブリーチ剤を作製した。次いで、このブリーチ剤を人毛黒髪に塗布し、１時間放置した。次いで、水洗し、ラウロイル（ＥＯ）３硫酸ナトリウムで洗浄した後、乾燥させた。乾燥後の毛束５ｇを束ね、これをダメージ毛のサンプル毛束とした。
【０１４８】
＜シリコーン油吸着量の測定＞
まず、健常毛及びダメージ毛の各サンプル毛束に対して、ロレアル  パリ(株)製のエルエーヴ  ダメージケアＰＲＯEX  シャンプーを使用して洗浄・すすぎを実施した。次いで、各実施例及び比較例の共重合体を用いて上述のように作製した各化粧料組成物を塗布した後、温度４０℃の流水中で毛束を濯いだ。その後、毛髪に吸着したシリコーン油を抽出し、抽出液のＮＭＲ測定を行うことによりポリジメチルシロキサンの吸着量を測定した。ＮＭＲ測定においては、1Ｈ−ＮＭＲにより、Ｓｉ−ＣＨ3のＨを定量した。なお、シリコーン油の抽出は、サンプル毛束をクロロホルム／メタノール＝４／１（体積比）の混合溶媒に浸して超音波処理をすることにより行った。そして、抽出溶媒を減圧乾燥した後、残留物を重クロロホルムに溶解させ、内部標準としてテレフタル酸ジメチルを添加してその濃度を求め、ポリジメチルシロキサンの吸着量をこの濃度で示した。なお、後述の表１の比較例４は、シリコーン油を含有する市販品のコンディショナーを用いた例である。市販品のコンディショナーとしてはロレアル  パリ(株)製のエルエーヴ  ダメージケアＰＲＯEX  コンディショナー＜リンス＞を用いた。
【０１４９】
【表１】
2017179121.tif 000004
【０１５０】
表１より知られるように、実施例１〜３の共重合体を用いた毛髪化粧料組成物は、ダメージ毛に対してはシリコーンが十分に吸着しているが、健常毛に対するシリコーンの吸着量が少ない。これに対し、比較例１〜３の共重合体を用いた毛髪化粧料組成物、及び市販品である比較例４は、ダメージ毛に対するシリコーンの付着量が不十分である一方で、健常毛には多量のシリコーンが付着していた。